(57)【要約】      （修正有）【課題】汎用の脚立を利用する小型、且つ、軽量なリフトを提供する。【解決手段】昇降対象物を鉛直方向に昇降させる昇降部３と、昇降部を脚立４０に保持する保持部７とを備え、昇降部は、略平板状であって上面に昇降対象物が載置される載置部５と、載置部の下面に結合されて、該載置部を鉛直方向上向きに支持する柱状のマスト部１０と、マスト部を昇降させる昇降動力を出力する駆動機構３０と、駆動機構の昇降動力をマスト部まで伝達する動力伝達機構とを有し、保持部は脚立の天板の上面に載置される支持板部１５と、天板の下面に配置されて、支持板部とともに天板を挟み込むことで支持板部を保持する支持板係止部２０と、マスト部を鉛直方向に移動自在に案内する昇降ガイド部１７と駆動機構を、天板の上面よりも面方向外側の範囲と鉛直方向に重畳する位置に保持する延長部２５とを有する。【選択図】図１
0003226242.tif 000002
【実用新案登録請求の範囲】
【請求項１】
リフトであって、
昇降対象物を鉛直方向に昇降させる昇降部と、前記昇降部を脚立に保持する保持部とを備え、
前記昇降部は、
略平板状であって上面に前記昇降対象物が載置される載置部と、
前記載置部の下面に結合されて、該載置部を鉛直方向上向きに支持する柱状のマスト部と、
前記マスト部を昇降させる昇降動力を出力する駆動機構と、
前記駆動機構の昇降動力を、前記マスト部まで伝達する動力伝達機構と、
を有し、
前記保持部は
前記脚立の天板の上面に載置される支持板部と、
前記天板の下面に配置されて、前記支持板部とともに前記天板を挟み込むことで前記支持板部を保持する支持板係止部と、
前記マスト部を鉛直方向に移動自在に案内する昇降ガイド部と、
前記駆動機構を、前記天板の上面よりも面方向外側の範囲と鉛直方向に重畳する位置に保持する延長部と、
を有することを特徴とするリフト。
【請求項２】
前記脚立の四本の支柱の下端によって画定される範囲を脚立設置範囲と定義する際に、
前記延長部は、前記駆動機構の少なくとも一部が前記脚立設置範囲と鉛直方向に重畳するように、該駆動機構を保持することを特徴とする請求項１に記載のリフト。
【請求項３】
前記支持板係止部は、前記天板と水平方向に係合する係合部を有することを特徴とする請求項１または請求項２に記載のリフト。
【請求項４】
前記動力伝達機構は、前記駆動機構の昇降動力の伝達方向を変化させる伝達方向変更機構を有し、
前記伝達方向変更機構は、前記天板の下面の下方側に配置され、
前記延長部によって保持される前記駆動機構は、前記脚立における踏み桟の長手方向と垂直、且つ、前記脚立の接地面と平行な方向に配置されることを特徴とする請求項１から請求項３のうちのいずれか一項に記載のリフト。
【請求項５】
前記駆動機構は、外部動力源の動力を受け付ける外部動力受付部を有することを特徴とする請求項１から請求項４のうちのいずれか一項に記載のリフト。
【考案の詳細な説明】
【技術分野】
【０００１】
本考案は、昇降対象物を鉛直方向に昇降させるリフトに関する。
【背景技術】
【０００２】
天井近傍に空調設備等を取付施工する際、数十キログラムにも至る部材を床から３ｍ程度にまで持ち上げて安全に保持する必要がある。従来、部材等の昇降については、専用の垂直昇降装置、すなわち簡易リフト（例えば特許文献１参照）を用いて工事を行ってきた。
【０００３】
図５（Ａ）は、従来から使用されている垂直昇降装置１０１の説明図である。垂直昇降装置１０１は、昇降対象物を載置する載置部１０５と、載置部１０５を下方から支持するマスト部１１０と、垂直昇降装置１０１全体を支える脚部１２５と、脚部１２５とマスト部１１０を接続する支持部１２０と、マスト部１１０を昇降させる動力を与える駆動機構１１５を備える。施工者は保持したい昇降対象物を載置部１０５の上面に載置する。載置部１０５は、載置部１０５を鉛直方向に支持するマスト部１１０によって下方から支えられ、駆動機構１１５により鉛直方向への昇降がなされる（図５（Ｂ）参照）。
【先行技術文献】
【特許文献】
【０００４】
【特許文献１】特開平６−１３５６９５号公報
【考案の概要】
【考案が解決しようとする課題】
【０００５】
しかしながら、専用の垂直昇降装置を常時運搬することは煩雑であり、施工場所によっては垂直昇降装置を設置すること自体が難しい場合もある。
【０００６】
本考案は斯かる実情に鑑み、施工を行う者が既に有していることの多い汎用の脚立を利用する方式の小型、軽量なリフトを提供しようとするものである。
【課題を解決するための手段】
【０００７】
（１）本考案はリフトであって、昇降対象物を鉛直方向に昇降させる昇降部と、前記昇降部を脚立に保持する保持部とを備え、前記昇降部は、略平板状であって上面に前記昇降対象物が載置される載置部と、前記載置部の下面に結合されて、該載置部を鉛直方向上向きに支持する柱状のマスト部と、前記マスト部を昇降させる昇降動力を出力する駆動機構と、前記駆動機構の昇降動力を、前記マスト部まで伝達する動力伝達機構と、を有し、前記保持部は、前記脚立の天板の上面に載置される支持板部と、前記天板の下面に配置されて、前記支持板部とともに前記天板を挟み込むことで前記支持板部を保持する支持板係止部と、前記マスト部を鉛直方向に移動自在に案内する昇降ガイド部と、前記駆動機構を、前記天板の上面よりも面方向外側の範囲と鉛直方向に重畳する位置に保持する延長部と、を有することを特徴とするリフトを提供する。
【０００８】
上記（１）に記載の考案によれば、専用の垂直昇降装置を用意すること無く、通常施工者、すなわちリフトの使用者が携行することの多い脚立を使うことで、例えば天井近辺という高所まで昇降対象物を昇降できるリフトを提供できるという優れた効果を奏し得る。
【０００９】
（２）本考案は、前記脚立の四本の支柱の下端によって画定される範囲を脚立設置範囲と定義する際に、前記延長部は、前記駆動機構の少なくとも一部が前記脚立設置範囲と鉛直方向に重畳するように、前記駆動機構を保持することを特徴とする上記（１）に記載のリフトを提供する。
【００１０】
上記（２）に記載の考案によれば、昇降対象物を鉛直方向に昇降させる昇降部の直下に、昇降のための駆動機構等を配置する必要が無いので、昇降対象物の落下による使用者の事故を防ぐという優れた効果を奏する。また駆動機構が脚立の下部に置かれない構造にすることで、昇降部におけるマスト部の長さを長くすることが可能になり、昇降対象物をより高い位置まで持ち上げることができるという優れた効果を奏し得る。
【００１１】
（３）本考案は、前記支持板係止部が前記天板と水平方向に係合する係合部を有することを特徴とする上記（１）または上記（２）に記載のリフトを提供する。
【００１２】
保持部は、脚立の天板の上面に載置される支持板部と、前記天板の下面に配置されて、前記支持板部とともに前記天板を挟み込むことで前記支持板部を保持する支持板係止部とを備えるが、水平方向への揺動が加わると不安定になる可能性がある。上記（３）に記載の考案によれば、支持板係止部が脚立の天板と水平方向に係合する係合部を有するので、昇降対象物を昇降させる昇降部を保持する保持部が水平方向に揺動しにくいという優れた効果を奏し得る。
【００１３】
（４）本考案は、前記動力伝達機構が前記駆動機構の昇降動力の伝達方向を変化させる伝達方向変更機構を有し、前記伝達方向変更機構は、前記天板の下面の下方側に配置され、前記延長部によって保持される前記駆動機構は、前記脚立における踏み桟の長手方向と垂直、且つ、前記脚立の接地面と平行な方向に配置されることを特徴とする上記（１）乃至上記（３）のうちのいずれかに記載のリフトを提供する。
【００１４】
上記（４）に記載の考案によれば、昇降対象物を鉛直方向に昇降させる昇降部の直下に、昇降のための駆動機構等を配置する必要が無いので、昇降対象物の落下による施工者、すなわち使用者の事故を防ぐとともに、駆動機構に外力が掛かっても脚立が転倒しにくい位置に駆動機構を置くことが可能になり安全性をさらに高めることができるという優れた効果を奏し得る。
【００１５】
（５）本考案は、前記駆動機構が外部動力源の動力を受け付ける外部動力受付部を有することを特徴とする上記（１）乃至上記（４）のうちのいずれかに記載のリフトを提供する。
【００１６】
上記（５）に記載の考案によれば、外部動力による駆動力を利用することができるので、少ない労力で昇降対象物を昇降させることができるリフトを実現できるという優れた効果を奏し得る。
【考案の効果】
【００１７】
本考案の請求項１〜５記載のリフトによれば、専用の垂直昇降装置を用意すること無く、通常施工者が携行することの多い脚立を使うことで、天井近辺まで昇降対象物を昇降できるリフトを提供できるという優れた効果を奏し得る。
という優れた効果を奏し得る。
【図面の簡単な説明】
【００１８】
【図１】本考案の実施形態に係るリフトが脚立に配設された状態の説明図である。
【図２】（Ａ）リフトが備える保持部の上面図である。（Ｂ）保持部の断面図である。
【図３】（Ａ）本考案の実施形態に係るリフトの説明図である。（Ｂ）リフトを図中Ｙ方向から見た断面図である。
【図４】変形実施例に係るリフトの説明図である。
【図５】（Ａ）従来から使用されている垂直昇降装置の斜視図である。（Ｂ）垂直昇降装置の動作を示す説明図である。
【考案を実施するための形態】
【００１９】
以下、本考案の実施の形態を添付図面を参照して説明する。
【００２０】
図１〜図４は考案を実施する形態の一例であって、図中、同一の符号を付した部分は同一物を表わし、基本的な構成は図に示す従来のものと同様である。
【００２１】
図１は、本考案の実施形態に係るリフト１が、脚立４０の天板６５に配設された状態を示す説明図である。脚立４０は、２本の支柱４５と、２本の支柱４５の間に所定の間隔で固定された複数の踏み桟５０を有する梯子５５が一対の状態で、天板６５側面に設けられた蝶番構造で連結された形状を備える。脚立４０は折りたたみ可能であることが望ましく、独立して地上に立設した場合に、天板６５の地上からの高さは、例えば１２０ｃｍ〜１８０ｃｍ程度である。
【００２２】
リフト１は、昇降対象物を鉛直方向に昇降させる昇降部３と、昇降部３を脚立４０に保持する保持部７とを備える。
【００２３】
昇降部３は略平板状であって上面に前記昇降対象物が載置される載置部５と、載置部５の下面に結合されて、載置部５を鉛直方向上向きに支持する柱状のマスト部１０を有する。昇降部３はマスト部１０を昇降させる昇降動力を出力する駆動機構３０と、駆動機構３０の昇降動力を、マスト部１０まで伝達する動力伝達機構７３とをさらに有する。
【００２４】
保持部７は脚立４０の天板６５の上面に載置される支持板部１５と、天板６５の下面に配置されて、支持板部１５とともに天板６５を挟み込むことで支持板部１５を保持する支持板係止部２０を有する。支持板部１５にはマスト部１０を鉛直方向に移動自在に案内する昇降ガイド部１７が設けられ、支持板係止部２０は駆動機構３０を天板６５の上面よりも面方向外側の範囲と鉛直方向に重畳する位置に保持する延長部２５を有する。
【００２５】
図２（Ａ）は、リフト１が備える保持部７の載置部５を省略した上面図である。支持板部１５は脚立４０の天板６５の上面６７に置かれる。昇降ガイド部１７は、後述する昇降部３のマスト部１０を図中Ｚ方向、具体的には鉛直方向自在に案内する。昇降ガイド部１７は、保持部７に固定された筒状のパイプ構造を有する。
【００２６】
具体的には昇降ガイド部１７はガイド孔１９を有し、昇降ガイド部１７によってマスト部１０が鉛直方向については昇降自在に案内され、水平方向、すなわち図中ＸＹ平面方向については位置を変化させないように保持する。
【００２７】
図２（Ａ）では、昇降ガイド部１７は支持板部１５の略中央部に２つ設けているが、単数であっても、３つ以上であってもよい。
【００２８】
昇降ガイド部１７のガイド孔１９の内径はマスト部１０の外径より太いが尤度は小さく昇降部３が、リフト１に対してガタつかないことが望ましい。
【００２９】
支持板係止部２０（図２（Ｂ）参照）には、延長部２５が設けられ、延長部２５には昇降部３を駆動させる駆動機構３０が配設される。
【００３０】
具体的には図２（Ａ）に示すように、脚立４０の四本の支柱４５の下端によって画定される範囲を脚立設置範囲６０と定義する際に、延長部２５は、駆動機構３０の少なくとも一部が脚立設置範囲６０と鉛直方向に重畳するように、駆動機構３０を保持する。また同時に延長部２５は、駆動機構３０を天板設置範囲６３の外側に保持する。
【００３１】
図２（Ｂ）は、保持部７を図中Ｘ方向から見た断面図である。
【００３２】
支持板部１５と支持板係止部２０により、脚立４０の天板６５を挟み込み、リフト１を脚立４０に固定する。保持部７は、支持板部１５と支持板係止部２０を結合させる結合部７１を有する（後述する図３（Ｂ）参照）。具体的に結合部７１は、支持板部１５と支持板係止部２０を鉛直方向に結合させるボルトとナットの組み合わせであってよい。
【００３３】
昇降ガイド部１７は、支持板部１５を貫通して支持板部１５の下面から突出する部分である突出部２１があることが望ましい。このとき突出部２１の太さは、脚立４０が有する天板６５Ａと天板６５Ｂの間に生じる天板隙間７０の幅よりも小さく隙間に入り込めることが望ましい。
【００３４】
また複数の突出部２１が互いに離れた距離で存在し、その両者が長方形の天板隙間７０に挿入されると、リフト１と脚立４０が、天板６５の中心から見て周方向に相対回転し難いように係合することで、リフト１の脚立４０に対する回転がロックされる。
【００３５】
言い換えれば、複数の突出部２１が存在することで、支持板部１５が天板６５に対して水平方向、すなわち図中ＸＹ平面方向に移動し難くなるという効果を奏する。
【００３６】
支持板係止部２０には天板６５の裏面６９と係合して、保持部７が天板６５に対して揺動しないようにする支持板首振り防止機構があることが望ましい。具体的に支持板首振り防止機構は、支持板係止部２０の天板の裏面６９側に設けられた凸部である係合部２３である。すなわち支持板係止部２０は、天板６５と水平方向に係合する係合部２３を有する。
【００３７】
図３（Ａ）は、本考案の実施形態に係るリフト１の説明図である。昇降部３が備えるマスト部１０の下部に設けられたワイヤ保持部９５（後述する図３（Ｂ）参照）には、動力伝達機構７３が有する巻き上げワイヤ７５が保持される。動力伝達機構７３は、駆動機構３０の昇降動力の伝達方向を変化させる伝達方向変更機構７４である滑車８５をさらに有し、伝達方向変更機構７４は、脚立４０の天板の裏面６９の下方側、具体的には支持板係止部２０に配置される。延長部２５によって保持される駆動機構３０は、脚立４０における踏み桟５０の長手方向と垂直、且つ、脚立４０の接地面と平行な方向に配置される。
【００３８】
マスト部１０に支持された載置部５の上面には昇降対象物が載置され、載置部５は、動力伝達機構７３、具体的には巻き上げワイヤ７５と滑車８５によって伝達された駆動力により、鉛直方向上下自在に昇降される。駆動機構３０は、延長部２５に固定される。駆動機構３０は、例えば手動の回転を巻き上げワイヤ７５の引張力に変換するウィンチであってよい。
【００３９】
駆動機構３０は、外部動力源の動力を受け付ける外部動力受付部８０を有する。具体的には外部動力源は電動ドリルであり、ドリルピットを取り付けるチャック部分が駆動機構３０に係合して駆動力を伝達できることが望ましい。例えば外部動力受付部８０は、六角軸チャックと係合する形状を有してよい。
【００４０】
図３（Ｂ）は、リフト１を図中Ｙ方向から見た断面図である。マスト部１０の下端部はワイヤ保持部９５を有し、巻き上げワイヤ７５を保持するワイヤ留め部９０により保持される。駆動機構３０からの引張力は滑車８５で方向を変化させられ、巻き上げワイヤ７５を通じてマスト部１０へと伝達される。具体的には鉛直方向、すなわちマスト部１０は保持部７の昇降ガイド部１７により案内されて、図中Ｚ方向に昇降部３を上下自在に昇降させることが可能になる。
【００４１】
本実施形態に係るリフト１によれば、専用の垂直昇降装置を用意すること無く、施工を行う者が携行することの多い脚立４０を利用することで、例えば天井近辺という高所まで昇降対象物を自在に昇降できるリフトを提供できるという優れた効果を奏し得る。
【００４２】
本実施形態に係るリフト１によれば、昇降対象物を鉛直方向に昇降させる昇降部３の直下に、昇降のための駆動機構３０等を配置する必要が無いので、昇降対象物の落下による使用者の事故を防ぐという優れた効果を奏する。また駆動機構３０が脚立４０の下部に置かれない構造にすることで、昇降部３におけるマスト部１０のストロークの長さを長くすることが可能になり、昇降対象物をより高い位置まで持ち上げることができるという優れた効果を奏し得る。
【００４３】
保持部７は、脚立４０の天板の上面６７に載置される支持板部１５と、天板の下面６９に配置されて、支持板部１５とともに天板６５を挟み込むことで支持板部１５を保持する支持板係止部２０とを備えるが、水平方向への揺動が加わると不安定になる可能性がある。本実施形態に係るリフト１によれば、支持板係止部２０が脚立４０の天板６５と水平方向に係合する係合部２３を有するので、昇降対象物を昇降させる昇降部３を支持する保持部７が水平方向に揺動しにくいという優れた効果を奏し得る。
【００４４】
本実施形態に係るリフト１によれば、昇降対象物を鉛直方向に昇降させる昇降部３の直下に、昇降のための駆動機構３０等を配置する必要が無いので、昇降対象物の落下による施工者、すなわち使用者の事故を防ぐとともに、駆動機構３０に外力が掛かっても脚立４０が転倒しにくい位置に駆動機構３０を置くことが可能になり安全性をさらに高めることができるという優れた効果を奏し得る。
【００４５】
本実施形態に係るリフト１によれば、外部動力による駆動力を利用することができるので、少ない労力で昇降対象物を昇降させることができるリフト１を実現できるという優れた効果を奏し得る。
【００４６】
図４は、変形実施例に係るリフト１の説明図である。本変形実施例においては、駆動機構３０はウォームギア構造９７を有し、延長部２５に配設される。駆動力は、延長部２５の長手方向に沿って配設される駆動軸９６を介してピニオン９９に伝達される。昇降部３はラック９８を有し、駆動軸９６の一端に保持されるピニオン９９と係合し、駆動力が伝達される。本変形実施例では、ラック９８とピニオン９９が動力伝達機構７３と伝達方向変更機構７４を実現する。具体的にはウォームギア構造９７で生み出された駆動力により、マスト部１０に支持された載置部５が、鉛直方向、すなわち図中Ｚ方向上下自在に昇降され得る。
【００４７】
尚、本考案のリフトは、上記した実施の形態に限定されるものではなく、本考案の要旨を逸脱しない範囲内において種々変更を加え得ることは勿論である。
【符号の説明】
【００４８】
１    リフト
３    昇降部
５    載置部
７    保持部
１０    マスト部
１５    支持板部
１７    昇降ガイド部
１９    ガイド孔
２０    支持板係止部
２１    突出部
２３    係合部
２５    延長部
３０    駆動機構
４０    脚立
４５    支柱
５０    踏み桟
５５    梯子
６０    脚立設置範囲
６３    天板設置範囲
６５    天板
６７    天板の上面
６９    天板の裏面
７０    天板隙間
７１    結合部
７３    動力伝達機構
７４    伝達方向変更機構
７５    巻き上げワイヤ
８０    外部動力受付部
８５    滑車
９０    ワイヤ留め部
９５    ワイヤ保持部
９６    駆動軸
９７    ウォームギア構造
９８    ラック
９９    ピニオン
１０１  垂直昇降装置
１０５  載置部
１１０  マスト部
１１５  駆動機構
１２０  支持部
１２５  脚部
Ｓ      天板平面
【図１】
0003226242.tif 000003
【図２】
0003226242.tif 000004
【図３】
0003226242.tif 000005
【図４】
0003226242.tif 000006
【図５】
0003226242.tif 000007